(57)【要約】【課題】長手方向とこれに直交する幅方向とを有する吸収体を適用した吸収性物品において、着用者が排泄時に感じるヌレ感を低減させ、横漏れを防止しつつ前記吸収体の長手方向への液拡散を促進させることで吸収体全面を効率よく液体の吸収に活用しうる吸収性物品を提供する。【手段】長手方向とこれに直交する幅方向とを有する吸収体３を具備する吸収性物品１０であって、トップシート１と前記吸収体３との間に液透過性の中間シート４が配置され、該中間シート４は、前記吸収体３の長手方向に延び前記トップシート１側に開放した多条の溝部４１をなすよう立体的に賦型され、かつその肌当接面側の全域が前記トップシート１に覆われており、前記中間シート４には、前記吸収体３の長手方向に沿った低液透過領域とこれより液透過性の高い高液透過領域とがある吸収性物品１０。【選択図】図１
2011120654.tif 000002
【特許請求の範囲】
【請求項１】
肌当接面を形成するトップシート、非肌当接面を形成するバックシート、及び該両シート間に介在された長手方向とこれに直交する幅方向とを有する吸収体を具備する吸収性物品であって、
前記トップシートと前記吸収体との間に液透過性の中間シートが配置され、該中間シートは、前記吸収体の長手方向に延び前記トップシート側に開放した多条の溝部をなすよう立体的に賦型され、かつその肌当接面側の全域が前記トップシートに覆われており、
前記中間シートには、前記吸収体の長手方向に沿った低液透過領域とこれより液透過性の高い高液透過領域とがある吸収性物品。
【請求項２】
前記中間シートの低液透過領域が、前記長手方向に延びる溝部の底をなす中間シート底部に配置されている請求項１に記載の吸収性物品。
【請求項３】
前記中間シートの低液透過領域が、前記長手方向に延びる溝部の間に存在する中間シート頂部に配置されている請求項１又は２に記載の吸収性物品。
【請求項４】
前記中間シートは平面視において前記吸収体より小さく、かつ前記吸収体の長手方向及び幅方向において中央に配置されている請求項１〜３のいずれか１項に記載の吸収性物品。
【請求項５】
少なくとも前記溝部の底をなす前記中間シートの底部が前記吸収体と接着されている請求項１〜４のいずれか１項に記載の吸収性物品。
【請求項６】
前記中間シートと前記吸収体との間には、該吸収体の長手方向に延び前記吸収体側に開放する複数条の溝空間部が存在する請求項１〜５のいずれか１項に記載の吸収性物品。
【発明の詳細な説明】
【技術分野】
【０００１】
本発明は吸収性物品に関する。
【背景技術】
【０００２】
生理用ナプキンや紙おむつ、失禁用パッドといった吸収性物品においては、長手方向とそれよりも短く長手方向に直交する幅方向とを有する吸収体が適用されることが多く、その寸法との関係から、どうしても体液が製品長手方向に十分拡散する前に幅方向の端縁にまで広がりやすくなる。そのため、体液の排泄が多いときなどには吸収性物品の幅方向端部からのモレを生じさせることがある。特許文献１には、蛇腹状に折り畳んだ疎水性繊維からなるクッション層を、その折り目が長手方向に沿うようにして吸収体の上に配置した生理用ナプキンが開示されている。この生理用ナプキンには排泄ポイントに当たる位置の表面シートが切り抜かれた開口部が設けられており、上記のクッション層が直接排泄液を受ける状態とされている。このように製品長手方向に溝状構造を持つ疎水性繊維からなるクッション層が直接排泄液を受け止めることで、体液を製品幅方向に広げずに長手方向に効果的に拡散させ、横漏れを抑え十分な吸収性能を実現するとされている。
【先行技術文献】
【特許文献】
【０００３】
【特許文献１】実開平２−３９７１８号公報
【発明の概要】
【発明が解決しようとする課題】
【０００４】
しかしながら、上記特許文献１に開示されている生理用ナプキンでは、排泄ポイントにトップシートが存在せず、クッション層は疎水性繊維から構成されており、一方、液の引き込み性や逆戻り性については特に工夫がなされておらず、体液が着用者の肌に直接触れ、ヌレ感を感じさせてしまうおそれがある。
本発明は、長手方向とこれに直交する幅方向とを有する吸収体を適用した吸収性物品において、着用者が排泄時に感じるヌレ感を低減させ、かつ横漏れを防止しつつ前記吸収体の長手方向への液拡散を促進させることで吸収体全域を効率よく液体の吸収に活用しうる吸収性物品の提供を課題とする。
【課題を解決するための手段】
【０００５】
かかる課題に対し発明者らは、肌当接面を形成するトップシート、非肌当接面を形成するバックシート、及び該両シート間に介在された長手方向とこれに直交する幅方向とを有する吸収体を具備する吸収性物品について、前記トップシートと前記吸収体との間に液透過性の中間シートが配置され、該中間シートは、前記吸収体の長手方向に延び前記トップシート側に開放した多条の溝部をなすよう立体的に賦型され、かつその肌当接面側の全域が前記トップシートに覆われており、前記中間シートには、前記吸収体の長手方向に沿った低液透過領域とこれより液透過性の高い高液透過領域とがある構成を導入することにより解決しうることを見出した。
【発明の効果】
【０００６】
本発明の吸収性物品は、長手方向とこれに直交する幅方向とを有する吸収体を適用した吸収性物品において、着用者が排泄時に感じるヌレ感を低減させ、横漏れを防止しつつ前記吸収体の長手方向への液拡散を促進させることで吸収体全域を効率よく液体の吸収に活用することができるという作用効果を奏する。
【図面の簡単な説明】
【０００７】
【図１】本発明の吸収性物品の実施形態としての失禁パッドを模式的に示す一部切欠斜視図である。
【図２】図１に示した軽失禁パッドの平面図であり表面シートを剥離した状態で示している。
【図３】図１に示した軽失禁パッドのIII-III線断面の拡大断面図である。
【図４】図３の断面の一部をさらに拡大した断面図である（但し、液の図示は省略している。）。
【発明を実施するための最良の形態】
【０００８】
以下、本発明の吸収性物品の好ましい実施形態を、失禁パッドを例にとり、図面を参照して説明する。
図１に示す実施形態の失禁パッド１０は、不織布や有孔フィルム等からなる液透過性のトップシート１と液不透過性で且つ蒸気透過性のバックシート２、及び両シート間に液保持性の吸収体３を介在させたものである。ここで、トップシート１とバックシート２とは周縁シール部でその外周が強固に接合され、内部の吸収体等を封止する構造とされている。本実施形態の失禁パッドにおいては、さらにトップシート１と吸収体３との間に、断面において波状ないしコルゲート状に立体賦型された液透過性の中間シート４が配置されている。中間シート４は、製品長手方向（方向Ｘ）に沿う複数条の線状の溝部４１をなす構造に立体賦型されており、隣り合った２つの線状溝構造の間には中間シートの頂部（稜線部）６をなすようにされている（図１、３、４参照）。このように複数条の溝４１をなす構造によって、液体の排泄ａ１を受けたとき、製品長手方向（方向Ｘ）への液拡散ａ２を促進し、一方で幅方向への拡散ａ３は適度に抑えその端部からのモレを防止することを可能にしている（図１、図２参照）。そして、本実施形態の中間シート４は、その肌当接面側がトップシート１で全面的に覆われているため、長手方向への液拡散によるヌレ感を着用者に与えにくい。また、該中間シート４は、柔軟な素材で構成されかつ表面が凸凹形状であることから線で柔らかく肌に対応し、そのクッション性により装着感がよい。
【０００９】
なお、本明細書において「肌当接面」とは着用者の肌と接触する面、「非肌当接面」とは着用者肌と接触しない面を意味し、特定部材において「肌当接面側」とは着用者の肌に近い方の部位・面を、「非肌当接面側」とは着用者の肌から遠い方の部位・面を指す、相対的な位置関係を意味する用語である。また、長手方向は部材ないし製品の平面視において長さのある方向であり、典型的には長方形の長辺に沿う方向をいう。幅方向は前記長手方向に直交しこれより短い部材幅の方向をいう。本実施形態においては吸収体の長手方向と製品（失禁パッド）の長手方向とが一致しているが、本発明においては吸収体の長手方向と製品長手方向とが一致しない形態の吸収性物品であってもよい。
【００１０】
中間シート４に設けられた溝部４１は、長手方向に沿った一部領域（以下、低透過領域［L］と呼ぶ）の液透過性が、他の周囲の領域（以下、高液透過領域［Ｈ］と呼ぶ）と比べて低くなされている。このようにすることによって、低透過領域［Ｌ］に沿って液が拡散されやすくなっている。ここで「液透過性が他の領域と比べて低くなされている」とは、典型的には、全体は液透過性であるが、（ｉ）低透過領域（一部領域）［Ｌ］の液透過速度がその高液透過領域（周囲領域）［Ｈ］と比べて遅い場合、（ii）高液透過領域（周囲領域）［Ｈ］は液透過性であるが、低液透過領域（一部領域）［Ｌ］は撥水性、液難透過性又は液不透過性である場合を意味する。
【００１１】
長手方向に液を効果的に拡散させる観点から、低透過領域［Ｌ］は底部５及び／又はその近傍の谷部４ｃに設けられていることが好ましい。また、これらに加えて、又は単独で、頂部６及び／又はその近傍の山部４ａに設けられていてもよい。本実施形態においては、低透過領域［Ｌ］が底部５と頂部６の双方に設けられている（図４の梨地模様部分参照）。底部５に設けられた低液透過領域［Ｌ］によって、トップシート１を透過してきた排泄液が溝部４１に適度の溜まるようにして（液１１参照）、この部分に沿って製品長手方向（Ｘ方向）に拡散しやすくなり（図３参照）、一層長手方向への液の移行拡散性が良化する。一方、頂部６に設けられた低透過領域［Ｌ］は、トップシートを透過した排泄液を素早く底部５の方向へ導くのに有用である。したがって、排泄液を製品長手方向Ｘに沿って拡散性を高めるという観点からは、低透過領域［Ｌ］を底部５に設けていれば十分であるが、頂部６に設けることによってその効果がより発揮されやすく好ましい。なお、図３では溝部４１及び溝空間部４２に溜まった液（液１１，１２）を模式的に示しているが、説明の便宜を考慮してモデル的に示したものであり、この図示及び説明により本発明が限定して解釈されるものではない。
【００１２】
また、溝部４１における中間シートの壁部４ｂにも低透過領域［Ｌ］を設けることもできる。この場合には、トップシート１を透過した排泄液が溝部４１における壁部４ｂから通過しにくくなることによって、排泄液が溝部４１に沿って製品長手方向Ｘに拡散されやすくなる。この効果は、中間シートの壁部４ｂが底部５に対して垂直に起立する構造よりも、図３に示すように、底部５に対して鈍角で斜め上方に起立した構造の場合に発揮されやすい。この角度θの範囲は特に限定されるものではないが、効果的な液体の拡散性を考慮し４５〜８５°に設定することが好ましい。
【００１３】
また、壁部４ｂに設けられた低透過領域［Ｌ］は、中間シートと吸収体の間の溝空間部４２に充填された液１２がトップシート１側へ液戻りすることを抑制する観点から、壁部の高さｄ１（図３）の底部５側からみて１０〜７０％の範囲（図４に示した形態との関係では一部山部４ａないし谷部４ｃを含んでもよい。）に設けられていることが好ましい。このとき壁部４ｂ全域ではなく、その一部の領域の液透過性を低めることで、体液で溝部４１が充填される前に、吸収体に吸収される、もしくは、隣り合う溝部４１に体液が蓄積され、トップシート側への液流れを効果的に抑止することができ好ましい。底部５側に低透過領域［Ｌ］を設ける場合には、壁部４ｂには低透過領域［Ｌ］を設けないか、せいぜい壁部高さｄ１の底部５側から１０％以下の範囲（一部谷部４ｃに差し掛かってもよい。）に設けることが好ましい。なお、図４では底部５及び頂部６の低液透過領域［Ｌ］を梨地模様により示したが、壁部４ｂの低液透過領域［Ｌ］は図示していない。
【００１４】
＜液透過性の測定法＞
本発明において液透過性は、特に断らない限り以下の手順により測定した値を言う。
０．９質量％  生理食塩水０．５  ｍＬを測定サンプルに滴下した際の、液滴が消滅するまでの時間を各１０箇所測定する。その平均値を液透過性の指標とする。したがってこの値が小さいほど、液透過性が良好であること（透過速度が速いこと）を意味する。このとき、液透過性を測定する領域を底面として、パルプ／ポリマーの坪量が、それぞれ（１５０ｇ／ｍ２）／（１５０ｇ／ｍ２）から構成する吸収体上に設置し、３７ｇ／ｃｍ２の荷重条件下、５分間静置させ、上記測定サンプルとする。
【００１５】
本実施形態に好適に用いられる中間シート４は、低透過領域が、上記測定方法で、滴下後、液滴が消滅するまでの平均時間が５秒以上であり、周囲領域が滴下後、液滴が消滅するまでの平均時間が５秒未満であることが好ましい。中間シート４における低透過領域［Ｌ］を、谷部４ｃ、山部４ａ、壁部４ｂのうち、複数個所に設ける場合には、その液透過性を各部位で異ならせてもよい。たとえば、液透過性を谷部４ｃ（底部５）、山部４ａ（頂部６）、壁部４ｂの順に高くすることで、トップシート１を透過した排泄液が底部で透過されにくく、製品長手方向Ｘに沿って拡散されるが、頂部からの透過がしやすくなるので、排泄液が多量の場合には都合が良い。一方で、壁部４ｂを介して壁内の溝空間部４２に透過された排泄液１２は、頂部を通じて着用者側にもれ難い構造となっているから、着用者に濡れ感を与えにくい。
【００１６】
中間シート４の低液透過領域（一部領域）［Ｌ］の液透過性を低める手段として、溝状の熱エンボスにより、該中間シートを吸収体に接合させる方法、疎水性の接着剤により、該中間シートを吸収体に接合させる方法、疎水性の剤を塗布する方法などが挙げられる。疎水性の剤としては、フッ素系化合物、パラフィン系のワックス類、長鎖（例えば、アルキル鎖長１８以上）アルキル硫酸金属塩等の界面活性剤を挙げることができる。また、相対的に一部領域の液透過性を低くする方法としては、中間シート４の構成繊維を疎水性又は撥水性のものとし、一部領域以外の部分に親水化剤を付与する方法が挙げられる。疎水性又は撥水性の繊維としては、ポリエステル、ポリエチレン、ポリプロピレン等の繊維が挙げられる。親水化剤としては、親水性の界面活性剤が挙げられ、具体的には、ＨＬＢ７以上のノニオン界面活性剤、平均アルキル鎖長１６以下のアルキル硫酸塩、アルキルエーテル硫酸塩などのアニオン界面活性剤等が好適に使用できる。
【００１７】
中間シート４は製品長手方向端への液拡散を抑制しモレ防止性能を向上させる観点から、平面視において吸収体３より小さくその中央に配置されていることが好ましい。本実施形態に即して換言すると、その配置領域は、製品長手方向（Ｘ方向）において、中間シート４の前後端は吸収体３の製品長手方向前後端よりも内側の領域で、幅方向中央部にあることが好ましい。
【００１８】
中間シート４は、コストや、トップシート側からの液流れを効果的に防止させる観点から、図３、４に断面を示したような１枚のシートで、壁内の溝空間部４２が中空状構造となるように構成されることが好ましい。この変形例として溝空間部４２が繊維で充填されている形態を挙げることができるが、図示したもののように１枚のシートにより構成され中空構造を有している方が、一度に大量の体液が排泄された場合であっても、体液が溝部４１（液体１１）及び溝空間部４２（液体１２）に一旦保持されるので、トップシート側への液戻りや液漏れが一層効果的に防止される。
【００１９】
壁部４ｂは、その高液透過領域（周囲領域）の中でもさらに高い超高液透過領域を含むことが好ましい。すなわち、中間シートにおいて、低液透過領域（一部領域）［Ｌ］、高液透過領域（周囲領域）［Ｈ］、超高液透過領域［Ｓ］の３つの領域が存在する構成としてもよい。超高液透過領域［Ｓ］は、中間シートの高さｄ１の頂部６側から又は底部５側から１０〜３０％（谷部４ｂに存在していてもよい。）まで至る領域であることが好ましい。このように超高液透過領域［Ｓ］があることにより、体液で溝部４１が充満する前に、溝空間部４２に移行しさらに吸収体３に吸収保持され、より素早く液体を引き込み、効果的にトップシート側への液戻りを抑止することができる。中間シートに超高液透過領域［Ｓ］を設ける方法として、中間シートに孔を設ける方法、親水性の界面活性剤を塗布する方法等が挙げられる。親水性の界面活性剤としては、アニオン系、カチオン系、両性系、ノニオン系の界面活性剤の様々な分子量のものを単独もしくは組み合わせて用いることが好ましい。
【００２０】
中間シート４と表面シート１の液透過性の関係は特に限定されないが、上記立体賦型された中間シート４の液体拡散作用及び逆戻り防止作用を一層効果的に引き出す観点から、中間シート４の高液透過領域［Ｈ］の液透過性より表面シート１の液透過性が低いことが好ましい。
【００２１】
各シート及びその各部位の液透過性の程度は特に限定されず、上記液体拡散作用及び逆戻り防止作用を考慮して適宜調節することができる。一般的な失禁パッドにおける部材や使用条件、排泄液の量等を考慮して一例を示すと、前記超高液透過領域［Ｓ］の液透過性Ｔｓ、高液透過領域［Ｈ］の液透過性Ｔｈ、低液透過領域［Ｌ］の液透過性Ｔｌ、トップシートの液透過性Ｔｔの序列は、Ｔｓ＞Ｔｈ＞Ｔｔ＞Ｔｌであることが好ましい。
【００２２】
中間シート４は、吸収体３側への液引き込み力を向上させる観点から、吸収体３と接合されていることが好ましい。接合法としては、熱エンボスや接着剤で接合する方法が挙げられる。接着剤は、疎水性であることが好ましく、例えば、ＳＢＳ系、ＳＥＢＳ系、オレフィン系ホットメルト等を用いることができる。中間シート４は、コスト及び必要とする引っ張り強度の観点から、その坪量が１０〜１００ｇ／ｍ２であることが好ましく、１５〜５０ｇ／ｍ２であることがより好ましい。中間シート４は、体圧に対する潰れ強度及び液漏れを防止させる観点から、底部から頂部の高さｄ１が、１〜１０ｍｍであることが好ましく、着用時の装着感の観点から３〜８ｍｍであることが更に好ましい。さらに、中間シート４は、体圧によって凸凹形状が過度に変形することを防止させる観点から、圧縮復元性を有していることが好ましい。具体的には、中間シート４は、その圧縮回復率が１０％以上、特に３０％以上であることが好ましい。所望の圧縮回復性を備える中間シート４としては、多孔製ポリウレタンをシートとしたり、嵩高の繊維製の不織布を使用する方法等が挙げられる。
【００２３】
＜圧縮回復率＞
本明細書において圧縮回復率とは、特に断らない限り以下の手順で測定した値をいう。
ストロークスピードを５０回／分として、シートに５０ｇｆ／ｃｍ２の荷重をかけて圧縮したときの圧縮仕事量Ｗｃ（ｇｆ・ｃｍ／ｃｍ２）及び圧縮回復仕事量Ｗｃ’をもとに下記式から算出する。例えばカートテック（株）製のＫＥＳ−ＴＢ３（商品名）を用いて測定することができる。
圧縮回復率（％）＝  （Ｗｃ’／Ｗｃ）×１００・・・式１
【００２４】
中間シートの立体賦型の形態は複数条の溝部をなすものであれば特に限定されず、本実施形態のように一枚のシートを折り曲げ加工したものであっても、厚みのあるシート状物を部分的に圧縮加工したり、溝部の部分を切除する加工を施したりしたものであってもよい。立体賦型された中間シートの厚みｄ１は特に限定されないが、一般的な失禁パッドの寸法を考慮すると、１〜１０ｍｍが好ましい。１つの溝部の幅ｄ２との関係でいうと、特に限定されるものではないが、ｄ１とｄ２との比（ｄ１／ｄ２）が０．５〜２であることが好ましい。吸収体の厚みｄ３との関係でいうと、これも特に限定されるものではないが、両者の比（ｄ１／ｄ３）が０．１〜７であることが好ましい。
中間シートの配置位置は上述のように吸収体に対して平面視で中央にあることが好ましい。その寸法の関係は特に限定されるものではないが、具体的に吸収体の長さｓ１に対して中間シートの長さｓ２（図２参照）が３０〜９０％であることが好ましく、５０〜７０％であることがより好ましい。吸収体の幅ｒ１に対して中間シートの幅ｒ２が３０〜９０％であることが好ましく、５０〜７０％であることがより好ましい。
【００２５】
さらに、上述した実施形態においては、低液透過領域［Ｌ］を底部５及び頂部６の長手方向全体に設ける場合について説明したが、本発明ではこれらの実施形態に限られるものではなく、例えば長手方向における排泄領域にのみ設けてあってもよい。また、低液透過領域［Ｌ］の形状としては、直線状に設けるものの他、長手方向に間欠的に設けるものであったり、らせん状、ジグザグ形状に設けるものであったりしてもよい。
【００２６】
以下に、上記実施形態の軽失禁パッドに好適に採用される材料について説明する。
中間シート４を構成する素材は、溝状構造の賦形が可能で、液透過性を一部領域に付与できるものであれば、特に制限はなく、例えば紙や不織布、フィルム、発泡体等を用いることができる。不織布等の繊維集合体やフィルムの場合は、スチレン系、ウレタン系、オレフィン系、エステル系、メタロセン触媒超低密度ポリエチレン等の熱可塑性エラストマー等から成されていると弾力性を有するシートとなるために好ましい。また、発泡体の場合は、発泡ウレタン、発泡ポリエチレン等など弾力性のあるシートが好ましい。このうち、エステル系エラストマー及びメタロセン触媒超低密度ポリエチレンの繊維集合体、フィルムまたは、発泡ウレタンのシートが液透過性及び弾力性の観点から特に好ましい。
【００２７】
トップシート１としては、排泄された体液を速やかに吸収し、吸収体に伝達する観点と肌触りのよさの観点とから親水性のサーマルボンド不織布が好ましく、特にエアスルー不織布が好ましい。トップシート１は親水化処理された熱可塑性樹脂繊維であり、かつ、該繊維が２次クリンプ又は３次クリンプのような立体捲縮がなされた繊維であることが好ましい。具体的には、ポリエチレン、ポリプロピレン、ポリエステル、ナイロン、及びこれらの複合繊維を作成し、所定の長さにカットしてステープルを形成する前の段階で、各種親水化剤を塗工する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、当業者公知の親水化剤による親水化処理を用いることができる。
【００２８】
バックシート２は、透湿性フィルム単独、又はフィルムと不織布を貼り合わせたもの、撥水性の不織布（ＳＭＳやＳＭＭＳ等）を用いることができる。本発明に関わる湿度排出の性能を十分に発現し、かつ、水分のにじみ出しがない防漏層を具現化するには、透湿度は、０．７〜３．０ｇ／１００ｃｍ２ｈｒの範囲にあることが好ましく、１．０〜２．５の範囲にあることが更に好ましい。さらっと感を十分に高める観点からは１．５〜２．５にあることが最も好ましい。また、透湿性のフィルムを使用する場合、フィルムの破れ等のトラブルなく使用可能であるためには、フィルム坪量は１８〜７０ｇ／ｍ２、より好ましくは２５〜６０ｇ／ｍ２である。
【００２９】
吸収体３はパルプ繊維を主体とし、パルプ繊維中には高吸収性ポリマーの粒子が均一に混合、分散されている。吸収体３は、失禁パッドの長手方向と同方向に縦長に形成されており、該吸収体３の長手方向の両端は、失禁パッドの長手方向両端の位置よりも若干内側に位置している。吸収体３をトップシート１から見た平面視形状は、長手方向の両端縁が円弧状に形成された略矩形状である。トップシート１及び裏面シート２は吸収体３の長手方向の両端から延出しており、その延出部分において互いに接合されている。トップシート１の両側縁部は、該吸収体３の非肌当接面側において裏面シート２に接合されている。
【００３０】
上記実施形態においては失禁パッドを例に本発明の構成について説明したが、これに限られず、本発明はその他の吸収性物品、例えばパンティライナ、生理用ナプキン、成人用の吸収パッド、成人用ないし乳幼児用の使い捨ておむつ等に好適に適用することができ、上述した優れた作用効果を奏する。
【符号の説明】
【００３１】
１．トップシート
２．バックシート
３．吸収体
４．中間シート
４１．溝部
４２．溝空間部
４ａ．山部
４ｂ．壁部
４ｃ．谷部
５．底部
６．頂部
９．周縁シール部
１０．失禁パッド
【図１】
2011120654.tif 000003
【図２】
2011120654.tif 000004
【図３】
2011120654.tif 000005
【図４】
2011120654.tif 000006